(57)【要約】【課題】高強度で設置作業が容易なコンクリート型枠用堰板と端面からのコンクリートの浸入を防止可能で製造が簡単な蓋付きコンクリート型枠用堰板を提供することである。【解決手段】２枚の平行な平板部２ａ，２ｂと、これらの平板部２ａ，２ｂ間に設けられるリブ部とを備え、平板部２ａ，２ｂとリブ部が合成樹脂で一体に構成されているコンクリート型枠用堰板１であって、リブ部は、平板部２ａ，２ｂに垂設されて略直方体状の第１の空洞部５ａ，５ｂを複数形成する複数の第１のリブ部３と、複数の第１のリブ部３間に斜設されて略三角柱状の第２の空洞部６ａ，６ｂ，６ｃ，６ｄを複数形成する複数の第２のリブ部４ａ，４ｂを有するものである。【選択図】図１
0003138143.tif 000002
【実用新案登録請求の範囲】
【請求項１】
２枚の平行な平板部と、これらの平板部間に設けられるリブ部とを備え、前記平板部と前記リブ部が合成樹脂で一体に構成されているコンクリート型枠用堰板であって、前記リブ部は、前記平板部に垂設されて略直方体状の第１の空洞部を複数形成する複数の第１のリブ部と、前記複数の第１のリブ部間に斜設されて略三角柱状の第２の空洞部を複数形成する複数の第２のリブ部を有することを特徴とするコンクリート型枠用堰板。
【請求項２】
前記リブ部の第１の空洞部が位置する前記平板部の外面には、印部が形成されていることを特徴とする請求項１に記載のコンクリート型枠用堰板。
【請求項３】
前記合成樹脂は、ポリプロピレンとタルクと炭酸カルシウムを含むことを特徴とする請求項１又は請求項２に記載のコンクリート型枠用堰板。
【請求項４】
請求項１乃至請求項３のいずれか１項に記載のコンクリート型枠用堰板に加えて、前記コンクリート型枠用堰板の端面を被覆可能な平板状の覆い部と、この覆い部に突設され前記第１の空洞部に着脱自在に嵌合可能な複数の突部とを有する蓋を備えることを特徴とする蓋付きコンクリート型枠用堰板。
【請求項５】
前記突部は、正面が略四角形状の薄片で、前記平板状の覆い部の長手方向に対して斜めに配置されて立設されることを特徴とする請求項４に記載の蓋付きコンクリート型枠用堰板。
【考案の詳細な説明】
【技術分野】
【０００１】
本考案は、コンクリート打設時にコンクリートを所定の形状に固めるためのコンクリート型枠用堰板とコンクリート打設時のコンクリート型枠用堰板内部へのコンクリートの浸入を防止する蓋付きコンクリート型枠用堰板に関する。
【背景技術】
【０００２】
近年、コンクリート型枠用堰板は、施工性や耐久性の観点から従来の合板を用いたものから合成樹脂を用いて押出成形によって形成されるものが主流になりつつある。特に、軽量化のために板状体の内部を空洞とし、一方で、強度を補強するために空洞部分にリブを備える構造が考えられている。しかしながら、板状体の内部を空洞にすると、板状体の端面から内部へコンクリートが浸入したり、板状体の強度不足が原因でコンクリートの圧力によって変形したりするという問題を抱えていた。そこで、端面からのコンクリートの浸入を防止するために板状体の端面を覆うためのキャップや、板状体の強度を向上させるためのリブの構造等が考えられている。
【０００３】
例えば、特許文献１には、「中空型枠パネル用キャップおよびキャップ付き中空型枠パネル」という名称で、中空型枠パネルの内部へのコンクリートの浸入を防止し、中空型枠パネルの裏面に縦ばた材を配置可能な中空型枠パネル用キャップ及びキャップ付き中空型枠パネルに関する発明が開示されている。
この特許文献１に開示された発明において、中空型枠パネル用キャップは、一の面がコンクリートの打設面となる中空の堰板部と、この堰板部の他の面に設けられる複数の中空の桟木部とを有する中空型枠パネルに設置可能で、中空型枠パネルの開口端面を封止する封止部と、この封止部以外に設置され中空型枠パネルの他の面に配置される縦ばた材を挿通可能な切欠部とを有する略平板状のものである。
したがって、中空型枠パネル用キャップを中空型枠パネルの端面に設置すると、中空型枠パネルの端面からのコンクリートの浸入を防止することができる。また、中空型枠パネル用キャップには、横ずれを防止する当接リブや、桟木部の中空部に嵌合する嵌合凸部を設置可能であり、これを設置することによって、中空型枠パネルの端面への装着がより確実なものとなる。そして、通常、型枠パネルの設置においては、コンクリートの圧力によるずれを防止するために型枠パネルの裏面に縦ばた材が設置されるが、中空型枠パネル用キャップでは封止部以外の場所に切欠部を設けているので、中空型枠パネル内へのコンクリートの浸入を防止しながら、切欠部に縦ばた材を挿通させて、中空型枠パネルの建て込みを行うことができる。
【０００４】
また、特許文献２には、「コンクリート打込用転用型枠」という名称で、施工性が良好で十分な強度を有するコンクリート打込用転用型枠に関する発明が開示されている。
この特許文献２に開示された発明は、互いに平行で長手方向に延びてパネル部を形成する二枚の板と、パネル部の二枚の板間に斜設され長手方向に延びる第１リブと、パネル部の一の面に立設され長手方向に延びて桟木部を形成する二枚の板と、第１リブと連続するように桟木部の二枚の板間に斜設され長手方向に延びる第２リブを備えるものである。
そして、パネル部と桟木部は、ポリ塩化ビニル、ポリプロピレンやポリカーボネイト等の合成樹脂を用いて押出成形によって一体化して形成されているので、従来の型枠におけるパネル部と桟木部の釘打ちによる接合作業が不要となり施工性が向上するとともに釘打ちによる型枠の損傷を防止することができる。また、型枠は、パネル部の傾斜した第１リブによって縦方向及び横方向に強度を得ることができる。さらに、パネル部の第１リブと桟木部の第２リブを連続して形成しているので、複数の型枠を桟木部を用いて連結してもパネル部の第１リブが桟木部の第２リブを補強し、桟木部に変形が生じないようになっている。
【０００５】
そして、特許文献３には、「コンクリート打設用型枠」という名称で、強度、施工性及び耐久性に優れ、リサイクル可能なプラスチック製のコンクリート打設用型枠に関する発明が開示されている。
この特許文献３に開示された発明は、一の面がコンクリートの打設面となり二枚の板と二枚の板間に設けられる補強リブとを備える堰板部と、この堰板部の他の面の両端部に垂設され二枚の板と二枚の板間に設けられる補強リブとを備える側板部と、堰板部の他の面に側板部に平行に設置され二枚の板と二枚の板間に設けられる補強リブとを備える補強板部を有するものである。
そして、堰板部の補強リブは、側板部及び補強板部に接する部分では、コンクリート打設面に対して直角に形成された直角リブで、側板部及び補強板部の補強リブと連続して形成され、それ以外の部分では、コンクリート打設面に対して連続して傾斜して形成された傾斜リブであるので、コンクリート打設時のコンクリートの圧力等によって変形することなく十分な強度を有している。また、このコンクリート打設用型枠は、ポリプロピレン等のプラスチック材料の押出成形によって堰板部、側板部、補強板部及び補強リブが一体に形成された中空パネルであるので、従来の合板型枠のように桟木の釘打ちが不要で施工性が良く、また、吸水によって膨潤することないので耐久性があり、転用も可能であり、最終的にはプラスチック材料としてリサイクルが可能である。
【特許文献１】特開２００６−２０７２１９号公報
【特許文献２】特開平７−２０７９３０号公報
【特許文献３】特開２００３−３０１６０５号公報
【考案の開示】
【考案が解決しようとする課題】
【０００６】
しかしながら、特許文献１に記載された従来の技術では、中空型枠パネル用キャップが中空型枠パネルの端面に確実に嵌合することによって端面からのコンクリートの浸入を防止することができるが、中空型枠パネル用キャップは、中空型枠パネルの端面に即した形状を有するように厳密に形成されており、この中空型枠パネル用キャップの製造には精度が要求されるので高い製造技術が必要とされるという課題があった。
【０００７】
また、特許文献２及び特許文献３に記載された従来の技術では、主面となる板面のリブを斜めになるように設けて堰板の強度を確保しているが、コンクリート打設時の堰板の設置においては、堰板を固定するために釘打ちやネジによる螺合が必要であり、釘又はネジの先端は斜めのリブに当接して滑りやすく、設置作業が困難になるという課題があった。
【０００８】
本考案はかかる従来の事情に対処してなされたものであり、高強度で設置作業が容易なコンクリート型枠用堰板と端面からのコンクリートの浸入を防止可能で製造が簡単な蓋付きコンクリート型枠用堰板を提供することを目的とする。
【課題を解決するための手段】
【０００９】
上記目的を達成するため、請求項１記載の考案であるコンクリート型枠用堰板は、２枚の平行な平板部と、これらの平板部間に設けられるリブ部とを備え、平板部とリブ部が合成樹脂で一体に構成されているコンクリート型枠用堰板であって、リブ部は、平板部に垂設されて略直方体状の第１の空洞部を複数形成する複数の第１のリブ部と、複数の第１のリブ部間に斜設されて略三角柱状の第２の空洞部を複数形成する複数の第２のリブ部を有するものである。
上記構成のコンクリート型枠用堰板では、２枚の平行な平板部間に設けられるリブ部は、平板部間を連結しながら空洞を与えるように作用し、そして、第１のリブ部による略直方体状の第１の空洞部は平板と平板との間を完全に空洞にするように作用する。また、第２のリブ部は、略三角柱状の第２の空洞部を形成し、平板間を斜めに連結するという作用を有する。そして、平板部とリブ部は合成樹脂で一体に構成されているので、施工性を向上させるように作用する。
【００１０】
また、請求項２に記載の考案であるコンクリート型枠用堰板は、請求項１に記載のコンクリート型枠用堰板において、リブ部の第１の空洞部が位置する平板部の外面には、印部が形成されているものである。
上記構成のコンクリート型枠用堰板では、請求項１に記載の考案の作用に加えて、印部は、リブ部の第１の空洞部の位置を平板部の外面に明示するように作用する。
【００１１】
そして、請求項３に記載の考案であるコンクリート型枠用堰板は、請求項１又は請求項２に記載のコンクリート型枠用堰板において、合成樹脂は、ポリプロピレンとタルクと炭酸カルシウムを含むものである。
上記構成のコンクリート型枠用堰板では、請求項１又は請求項２に記載の考案の作用に加えて、ポリプロピレンは機械的強度及び耐アルカリ性に優れた合成樹脂を形成し、また、タルクは衝撃強度を補強するように作用し、炭酸カルシウムは曲げ強度を補強するように作用する。
【００１２】
さらに、請求項４に記載の考案である蓋付きコンクリート型枠用堰板は、請求項１乃至請求項３のいずれか１項に記載のコンクリート型枠用堰板に加えて、コンクリート型枠用堰板の端面を被覆可能な平板状の覆い部と、この覆い部に突設され第１の空洞部に着脱自在に嵌合可能な複数の突部とを有する蓋を備えるものである。
上記構成のコンクリート型枠用堰板では、請求項１乃至請求項３のいずれか１項に記載の考案の作用に加えて、覆い部はコンクリート型枠用堰板の端面を被覆するように作用し、突部は第１の空洞部に着脱自在に嵌合するように作用して、蓋はコンクリート型枠用堰板の内部へのコンクリートの浸入を防止するように作用する。
【００１３】
最後に、請求項５に記載の考案であるコンクリート型枠用堰板は、請求項４に記載の蓋付きコンクリート型枠用堰板において、突部は、正面が略四角形状の薄片で、平板状の覆い部の長手方向に対して斜めに配置されて立設されるものである。
上記構成のコンクリート型枠用堰板では、請求項４に記載の考案の作用に加えて、突部は、平板状の覆い部の長手方向に対して斜めに配置されて立設されて、コンクリート型枠用堰板の第１の空洞部において長手方向に対して斜めに嵌合するように作用する。
【考案の効果】
【００１４】
本考案の請求項１に記載のコンクリート型枠用堰板では、合成樹脂を用いて押出成形により平板部とリブ部を一体に構成するので、施工が極めて容易となり、リブ部によって空洞を形成することで軽量化を可能とし、且つ高強度を具備するものとなる。また、平板間に垂設される第１のリブ部は平板間を連結してコンクリート型枠用堰板に強度を付与するとともに、第１のリブ部による略直方体状の第１の空洞部は平板と平板との間を完全に空洞にするので、コンクリート型枠用堰板を基礎や土台へ固定する際の釘打ちやネジの螺合を容易に行うことができる。そして、第１のリブ部間に斜設される第２のリブ部は、平板間を斜めに連結することによってコンクリート型枠用堰板の強度をさらに補強することができる。
【００１５】
また、本考案の請求項２に記載のコンクリート型枠用堰板は、印部によってリブ部の第１の空洞部の位置が平板部の外面に明示されるので、コンクリート型枠用堰板を基礎等に固定する際には、第１の空洞部への釘打ち又は螺合を容易且つ確実に行うことができる。
【００１６】
また、本考案の請求項３に記載のコンクリート型枠用堰板では、ポリプロピレンは機械的強度に優れるので、高強度のコンクリート型枠用堰板を得ることができる。また、アルカリ性に対しても耐性があり、アルカリ性であるコンクリートに接しても劣化することなく耐久性が得られる。さらに、コンクリートとの離型性が良好であり、固化後のコンクリートからの剥離が容易である。そして、タルクと炭酸カルシウムを含有させることによって、コンクリート型枠用堰板では、タルクによって衝撃強度が補強され、炭酸カルシウムによって曲げ強度が補強されるものとなる。
【００１７】
そして、本考案の請求項４に記載の蓋付きコンクリート型枠用堰板では、コンクリート型枠用堰板の第１の空洞部に嵌合可能な突部を備える蓋を有しているので、コンクリート型枠用堰板の空洞部へのコンクリートの浸入が防止でき、コンクリート型枠用堰板の再利用が可能になる。また、コンクリートの付着がないので最終的な廃棄処分が容易である。
【００１８】
最後に、本考案の請求項５に記載の蓋付きコンクリート型枠用堰板では、突部が、平板状の覆い部の長手方向に対して斜めに配置されて立設されるので、製造時に要求される精度の程度が低く、製造が容易となる。また、コンクリート型枠用堰板の第１の空洞部において長手方向に対して斜めに嵌合するので、嵌合後にずれにくく、コンクリート型枠用堰板の端面と蓋の密着を良好にし、コンクリート浸入を完全に防止することができる。
【考案を実施するための最良の形態】
【００１９】
以下に、本考案に係るコンクリート型枠用堰板の最良の実施の形態を図１及び図２に基づき説明する。（特に、請求項１乃至請求項３に対応。）
図１（ａ）は本考案の最良の実施の形態に係るコンクリート型枠用堰板の正面図であり、（ｂ）は同じくコンクリート型枠用堰板の幅方向の端面を示す概念図であり、（ｃ）は図１（ｂ）中の符号Ａで囲まれた部分の拡大図である。
図１（ａ）において、コンクリート型枠用堰板１は、幅が約６００ｃｍ、長さが１８００ｃｍから２７００ｃｍ程度の縦長の長方形の板状体であり、２枚の平板とこれらの平板間を連結するリブから構成されている。
図１（ｂ）において、幅方向の端面をみると、コンクリート型枠用堰板１は、２枚の平板２ａ，２ｂが平行に配置され、これらの平板２ａ，２ｂの間には長手方向に延びる複数のリブが設けられている。リブには、平板２ａ，２ｂ間に垂設される垂直リブ３と斜設される二つの傾斜リブ４ａ，４ｂがあり、また、平板２ａ，２ｂの両側部は垂直リブ３ａ，３ｂによって閉塞されている。
図１（ｃ）には、幅方向の端面の拡大図を示しているが、垂直リブ３は複数が等間隔に配置されて平板２ａ，２ｂ間を連結し、略直方体状で長手方向に延びる第１の空洞５ａ，５ｂを形成している。一方、傾斜リブ４ａは、二つの垂直リブ３，３の間に右上がりの筋交い状になるように斜めに配置されて第１の空洞を略三角柱状に二分して第２の空洞６ａ，６ｂを形成し、また、傾斜リブ４ｂは、二の垂直リブ３，３の間に右下がりの筋交い状になるように斜めに配置されて、同じく第１の空洞を略三角柱状に二分して第２の空洞６ｃ，６ｄを形成している。そして、傾斜リブ４ａ及び傾斜リブ４ｂは、交互になるように配置され、しかも、傾斜リブ４ａと傾斜リブ４ｂの間には第１の空洞５ａ又は第１の空洞５ｂが介するように配置されている。
【００２０】
コンクリート型枠用堰板１では、平板２ａ，２ｂに垂直リブ３及び傾斜リブ４ａ，４ｂを設けて第１の空洞５ａ，５ｂ及び第２の空洞６ａ，６ｂ，６ｃ，６ｄを形成することによって、所望の厚みを維持しつつ軽量化することができる。また、特に、傾斜リブ４ａ，４ｂを設けることによって断面を三角形状に形成してコンクリート型枠用堰板１の面方向、すなわち平板２ａ，２ｂに対して垂直な方向からの強度を向上させることができる。
そして、第１の空洞５ａ，５ｂは平板２ａ，２ｂ間を完全に空洞にするので、設置時にコンクリート型枠用堰板１を基礎や土台等へ固定する場合に、釘打ちやネジによる螺合を第１の空洞５ａ，５ｂに行うと阻害するものがないので簡単に行うことができる。また、図示していないが、第１の空洞５ａ，５ｂが位置する場所を平板２ａ，２ｂの外面側に印を付けて明示すると、釘打ちやネジの螺合を行う位置を外側から簡単に確認できるので設置作業を効率よく行うことができる。なお、印は特に限定されるものではなく、丸形、三角形、四角形、線や点など目視可能なものであればどのような形状であってもよい。
また、図１（ｂ）及び（ｃ）において、第１の空洞５ｂは第１の空洞５ａに比べると、平板２ａ，２ｂ部分が肉厚に形成されている。したがって、第１の空洞５ｂに釘打ちしたりネジを螺合したりする場合は、平板２ａ，２ｂが肉厚であるので、打付けの衝撃等による平板２ａ，２ｂの損傷を抑えることができる。
なお、第１の空洞５ａ，５ｂ及び第２の空洞６ａ，６ｂ，６ｃ，６ｄの配列は特に限定されるものでなく、コンクリート型枠用堰板１の強度を損ねないように傾斜リブ４ａ，４ｂを設置し、また、釘打ち等による固定が行い易いように第１の空洞５ａ，５ｂをバランス良く配置すればよい。
【００２１】
また、コンクリート型枠用堰板１は主原料に合成樹脂を用いて押出成形によって作製される。したがって、コンクリート型枠用堰板１は、平板２ａ，２ｂと垂直リブ３，３ａ，３ｂ及び傾斜リブ４ａ，４ｂは一体に形成されるので、平板２ａ，２ｂから垂直リブ３，３ａ，３ｂ及び傾斜リブ４ａ，４ｂが剥離することがなく強度を備え、また、製造が容易なものとなる。また、合成樹脂にはポリプロピレン、ポリカーボネイト、ポリエチレンテレフタレート、ポリ塩化ビニル、ポリエチレン、ＡＢＳ樹脂やナイロン等を用いることができるが、強度面やコンクリートとの離型性やアルカリ性を示すコンクリートに耐性を考慮するとポリプロピレンが適している。さらに、炭酸カルシウムとタルクを加えることが可能であり、炭酸カルシウムによって曲げ強度を補強し、タルクによって衝撃強度を補強したコンクリート型枠用堰板１を得ることができる。ポリプロピレン、炭酸カルシウム及びタルクの配合例を表１に示す。
【００２２】
【表１】
0003138143.tif 000003
【００２３】
続いて、コンクリート型枠用堰板の設置について図２を参照しながら説明する。
図２は、本実施の形態に係るコンクリート型枠用堰板を用いた設置例を示す概念図である。
図２において、符号１は、複数のコンクリート型枠用堰板の断面を示しており、複数のコンクリート型枠用堰板１は所望のコンクリート１４の形状になるように配列され、それぞれ桟木７に釘打ちによって固定されている。釘打ちされる釘８は、コンクリート型枠用堰板１の第１の空洞５ｂに打ち込まれており、第１の空洞５ｂは略直方体状の空洞であるので、釘８の先端が滑ることなく簡単に打ち込むことができる。また、前述したように、第１の空洞５ｂ部分の平板は肉厚に形成されているので、釘打ちによる衝撃に耐えうる強度を十分に有しており、コンクリート型枠用堰板１は損傷し難くなっている。なお、釘８は必ずしも第１の空洞５ｂに打ち込む必要はなく、第１の空洞５ａに打ち込むことも可能であり、第１の空洞５ａも第１の空洞５ｂと同様に略直方体状の空洞であるので、釘打ちは容易となり、また、第１の空洞５ａは第１の空洞５ｂよりも数多く設置されているので、桟木７への打ち込み位置に裕度が得られる。
そして、対向するように配置されたコンクリート型枠用堰板１には、セパレータ９が設置され、セパレータ９はコンクリート型枠用堰板１のコンクリートの打設面において木コン１１を備え、コンクリートの打設面でない側においてホームタイ１０によって固定されている。なお、符号１２は補強部分であり、符号１３は縦丸鋼管である。また、符号２１は横丸鋼管２１であり、丸管止メ座金２２は、横丸鋼管２１及びこれに直交するように形成される縦丸鋼管１３をコンクリート型枠用堰板１の側面に押し付けて固定するための治具である。補強部分１２は、コンクリート型枠用堰板１の第１の空洞５ｂの部分においてコンクリート型枠用堰板１を補強するために設けられ、また、縦丸鋼管１３、横丸鋼管２１及び丸管止メ座金２２は、コンクリート打設時にコンクリートの圧力に対抗するための補強として設置されている。この補強部分１２，縦丸鋼管１３の設置によって、セパレータ９は繰り返しコンクリート型枠用堰板１間に挿入可能となり、コンクリート型枠用堰板１の寿命延長が可能となり、その再使用が可能となる。また、本実施の形態においては、設置していないが、縦ばた材や横ばた材等の補強材を設置するようにしてもよい。
【００２４】
このように構成された本実施の形態においては、二枚の平板間に設けられるリブにおいて、垂直リブと傾斜リブを適宜配置して、完全な空洞で釘打ち等を容易にする第１の空洞を形成するとともに、傾斜リブによって断面を三角形状に形成することでコンクリート型枠用堰板の強度を向上させることを可能にしている。傾斜リブによって形成される
また、コンクリート型枠用堰板はポリプロピレンを主成分とした合成樹脂を用いて押出成形しているので、軽量且つ高強度で製造が容易なものとなり、さらに、タルクや炭酸カルシウムを加えることによって衝撃や曲げに耐性を有した強固なコンクリート型枠用堰板を製造することが可能である。
【００２５】
次に、本考案に係る蓋付きコンクリート型枠用堰板の最良の実施の形態を図３に基づき説明する。（特に、請求項４及び請求項５に対応。）
図３（ａ）は、本考案の最良の実施の形態に係る蓋付きコンクリート型枠用堰板のコンクリート型枠用堰板の端面を示す概念図であり、（ｂ）は同じく蓋付きコンクリート型枠用堰板の蓋の上面図であり、（ｃ）は同じく蓋付きコンクリート型枠用堰板の蓋の側面図であり、（ｄ）は図３（ｂ）中の符号Ｂで囲まれた部分の拡大図であり、（ｅ）は同じく蓋付きコンクリート型枠用堰板の蓋の突起の概念図である。
図３（ａ）において、蓋付きコンクリート型枠用堰板のコンクリート型枠用堰板１は、先に説明したコンクリート型枠用堰板と同様の構造であり、詳しい説明は省略するが、二枚の平板２ａ，２ｂとこれらの平板２ａ，２ｂ間に設けられる垂直リブ３と傾斜リブ４ａ，４ｂから構成され、第１の空洞５ａ，５ｂと第２の空洞６ａ，６ｂ，６ｃ，６ｄが形成されている。
そして、図３（ｂ）及び（ｃ）において、蓋１５は、平板状の覆い１６と、この覆い１６に突設される複数の薄片の突起１７ａ，１７ｂとから構成されている。蓋１５は、コンクリート型枠用堰板１の幅方向の端面に着脱可能であり、覆い１６が端面を被覆して、突起１７ａ，１７ｂが第１の空洞５ａ，５ｂに嵌合する仕組みである。なお、第１の空洞５ｂは第１の空洞５ａに比べて平板部分が肉厚であるので厚み方向に小さくなっており、突起１７ｂは、第１の空洞５ｂに合わせて小さく形成されている。
【００２６】
また、図３（ｄ）には、蓋１５の拡大図を示しているが、突起１７ａ，１７ｂは覆い１６の長手方向に対して斜めになるように立設されている。したがって、突起１７ａ，１７ｂは第１の空洞５ａ，５ｂの厚み方向に対して斜めに嵌合し、この斜めの向きで嵌合することによって嵌合後の突起１７ａ，１７ｂはずれ難く、その結果、蓋１５をコンクリート型枠用堰板１の端面に密着させてコンクリートの浸入防止に効果的となる。また、複数の突起１７ａ，１７ｂを覆い１６上に設置する際に、突起同士の間隔が多少ずれていても、斜め向きに配置されることによって、第１の空洞５ａ，５ｂへの嵌合が可能となり、製造時の品質管理面において有利である。
そして、図３（ｅ）において、突起１７ａには上部の両端部に丸みが付けられており、第１の空洞５ａへの挿入の際には、第１の空洞５ａの平板部分に丸みが接触しても丸みに誘導されて突起１７ａが第１の空洞５ａ内に挿入しやすくなっている。また、鋭利な角がないので、コンクリート型枠用堰板１の端部等に接触しても傷付き難いという利点もある。
なお、蓋１５は、コンクリート型枠用堰板１と同様に、ポリプロピレン等の合成樹脂を用いて押出成形によって覆い１６と突起１７ａ，１７ｂが一体に形成されている。
【００２７】
さらに、図４及び図５を参照しながら、本実施の形態に係る蓋付きコンクリート型枠用堰板をスラブ形成の際に用いる場合について説明を追加する。図４は、1階床と２階床を備える構造物において床スラブを形成させるために支保工を組んでいる様子を概念的に示す縦断面図であり、図５は、図４において点線で囲まれた符号Ｃの部分を拡大して示す拡大図である。
図４及び図５において、床スラブ１８はその下面にコンクリート型枠用堰板１を配置し、その下方に根太丸鋼管１９を介して大引き２３及び支保工２０を組むことで支えられている。床スラブ１８は碁盤目状に張り巡らされた鉄筋にコンクリートを打設して形成されるが、コンクリート打設前に、コンクリート型枠用堰板１を予め根太丸鋼管１９及び支保工２０を用いて固定しておく。
【００２８】
一方、垂直に形成されるコンクリート壁面２４もその両側にコンクリート型枠用堰板１を配置して、その両側に縦丸鋼管１３及びこの縦丸鋼管１３に直交するように配置される横丸鋼管２１と丸管止メ座金２２を介してセパレータ９で固定し、コンクリートを打設することで形成される。
このように固定、配置されるコンクリート型枠用堰板１のうち、床スラブ１８の下面及びコンクリート壁面の側面の一部では、図５にその端面が露出するように水平に設置されるため、その端面は、図５に示すとおり、図３（ａ）に示されるような第１の空洞５ａ，５ｂと第２の空洞６ａ，６ｂ，６ｃ，６ｄが形成されている。この空洞は、前述のとおり、施工に応じて必要となる所望の厚みを担保しつつ、軽量化を図るために形成されるものであるが、この空洞に水平に設置されるコンクリート型枠用堰板１の端面に打設用のコンクリートが流入することがある。このような場合には固化したコンクリートを削除することができず、コンクリート型枠用堰板１をスラブ形成後に取り外して再利用することができない。固化したコンクリートを削除せずそのまま使用する場合には、コンクリートの重さでせっかくの軽量化が逆効果となる場合があるので、蓋１５をコンクリート型枠用堰板１の端面に設けて空洞を覆うことでコンクリートの流入を防止することができる。
【００２９】
図５においては、端面が露出する部分を模式的に示すためにその端面形状を明示しているものの、実際の工事では、前述のとおり蓋１５で端面を覆うため、図５のように見える端面の形状は露出することがない。
また、垂直方向に形成されるコンクリート壁面２４を形成するために、その両側に配置されるコンクリート型枠用堰板１では、その端面に他のコンクリート型枠用堰板１を重ねて構成するような場合があったり、そもそも第１の空洞５ａ，５ｂと第２の空洞６ａ，６ｂ，６ｃ，６ｄは、それぞれ鉛直方向に形成されるため、水平方向において端面を蓋１５で覆う必要はないものの、上部側の端面が露出して打設されるコンクリートが流入するので、蓋１５で覆うことが望ましいのは言うまでもない。
【００３０】
このように構成された本実施の形態においては、コンクリート型枠用堰板の端面を被覆する蓋を備えているので、コンクリート打設時に、コンクリート型枠用堰板の空洞部分にコンクリートが侵入することがなく、再使用可能なコンクリート型枠用堰板を提供できる。また、コンクリートの浸入が防止できるので従来の壁施工に加えて床スラブ施工及び天井スラブ施工が可能となっている。
また、突起の空洞部分への嵌合はビス止めや接着剤塗布等が不要で極めて簡単であり、施工現場での迅速な作業が可能である。
そして、コンクリート型枠用堰板の空洞部分に嵌合する突起を長手方向に対して斜めに立設して、嵌合位置に裕度を得ているので、品質管理がし易く製造が容易なものとなる。
【産業上の利用可能性】
【００３１】
以上説明したように、請求項１乃至請求項５に記載された本考案は、高強度で設置が簡単なコンクリート型枠用堰板と、製造が容易でコンクリートの浸入を防止可能な蓋付きコンクリート型枠用堰板を提供可能であり、コンクリート打設工事等において利用可能である。
【図面の簡単な説明】
【００３２】
【図１】（ａ）は本考案の最良の実施の形態に係るコンクリート型枠用堰板の正面図であり、（ｂ）は同じくコンクリート型枠用堰板の端面を示す概念図であり、（ｃ）は図１（ｂ）中の符号Ａで囲まれた部分の拡大図である。
【図２】本実施の形態に係るコンクリート型枠用堰板を用いた設置例を示す概念図である。
【図３】（ａ）は本考案の最良の実施の形態に係る蓋付きコンクリート型枠用堰板のコンクリート型枠用堰板の端面を示す概念図であり、（ｂ）は同じく蓋付きコンクリート型枠用堰板の蓋の上面図であり、（ｃ）は同じく蓋付きコンクリート型枠用堰板の蓋の側面図であり、（ｄ）は図２（ｂ）中の符号Ｂで囲まれた部分の拡大図であり、（ｅ）は同じく蓋付きコンクリート型枠用堰板の蓋の突起の概念図である。
【図４】１階床と２階床を備える構造物において床スラブを形成させるために支保工を組んでいる様子を概念的に示す縦断面図である。
【図５】図４において点線で囲まれた符号Ｃの部分を拡大して示す拡大図である。
【符号の説明】
【００３３】
１…コンクリート型枠用堰板  ２ａ，２ｂ…平板  ３，３ａ，３ｂ…垂直リブ  ４ａ，４ｂ…傾斜リブ  ５ａ，５ｂ…第１の空洞  ６ａ，６ｂ，６ｃ，６ｄ…第２の空洞  ７…桟木  ８…釘  ９…セパレータ  １０…ホームタイ  １１…木コン  １２…補強部分  １３…縦丸鋼管  １４…コンクリート  １５…蓋  １６…覆い  １７ａ，１７ｂ…突起  １８…床スラブ  １９…根太丸鋼管  ２０…支保工  ２１…横丸鋼管  ２２…丸管止メ座金  ２３…大引き  ２４…コンクリート壁面
【図１】
0003138143.tif 000004
【図２】
0003138143.tif 000005
【図３】
0003138143.tif 000006
【図４】
0003138143.tif 000007
【図５】
0003138143.tif 000008